(57)【要約】      （修正有）【課題】消弧室内部の損傷、汚損された部分の交換と保守が容易な遮断器を得る。【解決手段】消弧室１の外壁に設けた貫通孔１Ａから消弧室内へ出し入れ自在に装備され、遮断動作時に発生するアークの両側方への吹き出しを防ぐ一対の遮蔽側板１７を備え、遮蔽側板１７を交換自在としたものである。又、この遮蔽側板１７には、遮蔽側板１７の位置決めのために、その外端部に、係合突部１７ａが、又その長手側面に、帯状突部１７ｂが設けられている。【選択図】図３
2015204182.tif 000002
【特許請求の範囲】
【請求項１】
消弧室の外壁に設けた貫通孔から消弧室内へ出し入れ自在に装備され、遮断動作時に発生するアークの両側方への吹き出しを防ぐ一対の遮蔽側板を備え、上記遮蔽側板を交換自在としたことを特徴とする遮断器。
【請求項２】
上記遮蔽側板の長手側面には、遮蔽側板の出し入れ時に、上記消弧室内に設けた長溝と嵌合することによって出し入れ動作を案内すると共に上下方向の動きを規制する帯状突部を設け、上記遮蔽側板の外端部には、遮蔽側板の挿入時に、上記貫通孔の孔縁で係止されることによって過挿入を防止する係合突部を設けたことを特徴とする請求項１に記載の遮断器。
【請求項３】
上記遮蔽側板の長手側面には、遮蔽側板の出し入れ時に、上記消弧室内に設けた長溝と嵌合することによって出し入れ動作を案内すると共に上下方向の動きを規制する帯状突部を設け、上記帯状突部の外延部には、遮蔽側板の挿入時に、上記貫通孔の孔縁で係止されることによって過挿入を防止する係合突部を設けたことを特徴とする請求項１に記載の遮断器。
【発明の詳細な説明】
【技術分野】
【０００１】
この発明は、直流の電力回路に使用する遮断器に関するものである。
【背景技術】
【０００２】
従来の電鉄変電所用の保護遮断器として、直流高速度遮断器がある。直流遮断は交流遮断と異なり、電流の０点が存在しないため、アーク電圧を電源電流まで上昇させ限流遮断させなければならない。そのため、直流遮断器はアーク電圧を高めるため、アーク接触子間に発生したアークを接点上部に配置されたアークランナーへと転流させ、アークランナー上を走行させることでアーク長を伸ばしたり、消弧室上部に配置されたグリッドまで導いたりする。そして、グリッドまで導かれたアークを貫通させることでアーク抵抗を高め、アーク電圧が上昇し電流遮断まで維持する必要がある。
【０００３】
一方で、非常に高温なアークは、接点やアークランナー、消弧室内部を溶かすため、遮断回数が多くなると消弧室側板が損傷したり、金属蒸気や炭化物（すす）によって汚損されたりした。汚損されると、絶縁抵抗が低下する可能性がある。消弧室側板が汚損され絶縁抵抗が低下すると、汚損部において絶縁破壊してしまうためアークが走行せず、アーク電圧が上昇しないため遮断失敗してしまう恐れがある。消弧室側板での絶縁破壊を防止するためには、定期的に保守を実施し汚損部を清掃したり、側板を交換したりすることが必要である。
【先行技術文献】
【特許文献】
【０００４】
【特許文献１】実開平６−６０９４４号公報
【発明の概要】
【発明が解決しようとする課題】
【０００５】
従来の消弧室構造は、例えば図１５に示すように、消弧室下方へアークの吹き出しを防ぐ絶縁板２９を差し込み自在（矢印２８）に設けている。
又、図１６に示すように、構成部品を取り付けているボルトの一部を外し、本体上部３０を回転金具３１で回転することで簡易的な確認が行われていた。
しかし、アークにより損傷、汚損される部分については、消弧室と一体のため、消弧室内側の側壁間が狭く清掃は難しい。このように消弧室内部が損傷、汚損したまま使用していると遮断を失敗してしまう恐れがあるため、保守時の消弧室内部の清掃は不可欠である。
従来の消弧室構造で、損傷、汚損されている部分の交換を行う場合は、損傷、汚損の関係がない箇所などを含め構成部品の全てを交換する必要があり、又構成部品を取り付けているボルトを全て取り外さなければならず、時間と費用が掛かるなどの問題点があった。
【０００６】
この発明は、消弧室内部の損傷、汚損された部分の交換と保守が容易な遮断器を得ることを目的とする。
【課題を解決するための手段】
【０００７】
この発明に係わる遮断器は、消弧室の外壁に設けた貫通孔から消弧室内へ出し入れ自在に装備され、遮断動作時に発生するアークの両側方への吹き出しを防ぐ一対の遮蔽側板を備え、上記遮蔽側板を交換自在としたものである。
【発明の効果】
【０００８】
この発明の遮断器によれば、消弧室内部のアークによって損傷、汚損し易く短寿命である部品のみの交換が容易となり、又部品交換を必要としないメンテナンス時の清掃が容易となる。更に、部品交換も消弧室の全てを交換するのではなく損傷、汚損された部品である遮蔽側板のみを交換するだけであるため、保守時の作業時間短縮やコスト削減となり、保守の容易な遮断器を得ることができる。
【図面の簡単な説明】
【０００９】
【図１】直流高速度遮断器の全体構造を示した正断面図である。
【図２】この発明の実施の形態１における直流高速度遮断器の正断面図で、（ａ）は通電時の状態を示し、（ｂ）は遮断時の状態を示す正断面図である。
【図３】（ａ）はこの発明の実施の形態１における直流高速度遮断器の交換部品（遮蔽側板）の交換方法を示す斜視図、（ｂ）は貫通孔形状を示す拡大正面図である。
【図４】この発明の実施の形態１における交換可能な遮蔽側板のみを示す斜視図である。
【図５】この発明の実施の形態１、２における消弧室の内側を示した斜視図である。
【図６】この発明の実施の形態１における直流高速度遮断器において、遮蔽側板差し込み時の状態を示した説明図で、（ａ）は直流高速度遮断器全体を示した斜視図、（ｂ）は図（ａ）中のＣ部分において、遮蔽側板用の抜け止め金具の取り付状態を示した斜視図、（ｃ）は抜け止め金具を単体で示した斜視図である。
【図７】図６（ａ）の側面図である。
【図８】図６（ａ）の正面図である。
【図９】図７のＩＸ−ＩＸ線を矢印方向に見た断面図である。
【図１０】図７のＸ−Ｘ線を矢印方向に見た断面図である。
【図１１】図８のＸＩ−ＸＩ線を矢印方向に見た断面図である。
【図１２】この発明の実施の形態２における直流高速度遮断器の遮蔽側板の交換方法を示す斜視図である。
【図１３】この発明の実施の形態２における交換可能な遮蔽側板のみを示す斜視図である。
【図１４】この発明の実施の形態２における遮蔽側板の差し込み時の状態を示した斜視図である。
【図１５】従来（特許文献１）の直流高速度遮断器における交換部品の交換状態を示す正面図である。
【図１６】他の従来例である直流高速度遮断器の清掃時に、消弧室を回転させた状態を示す側面図である。
【発明を実施するための形態】
【００１０】
以下、図面に基づいて、この発明の各実施の形態を説明する。
なお、各図間において、同一符号は同一あるいは相当部分を示す。
【００１１】
実施の形態１．
この実施形態１である直流高速度遮断器は、消弧室の横方向に差し込み穴（貫通孔）を設け、の交換部品である遮蔽側板を差し込み穴に抜き差し（出し入れ）可能とすることにより、アークによって損傷、汚損される部分だけを容易に抜き差し（出し入れ）が可能となるもので、汚損部分の清掃が容易となり、損傷した場合は損傷した部品のみを交換するものである。
【００１２】
以下、図１〜１１に基づいて、この発明の実施形態１である直流高速度遮断器を説明する。
直流高速度遮断器は、図１〜２に示すように、消弧室１、上部導体２、下部導体３、接点アーム４、固定接点５、可動接点６、回転軸７、可動接点６を駆動する接点アーム４、固定側アークランナー１０、可動側アークランナー１１、グリッド部１２、開放ばね１３、投入装置１４、ラッチ１５、開極装置１６など周知の部品で構成されている。
【００１３】
そして、遮断器の通電時は、図２（ａ）に示すように、接点アーム４によって固定接点５と可動接点６が接触し、消弧室１の下部に配置された上部導体２と下部導体３に接点アーム４を介して電流が流れる。
又、遮断時は、図２（ｂ）のように接点アーム４が下部導体３との回転軸７を中心に回転することで、固定接点５と可動接点６が離れ、固定接点５と可動接点６間にアーク８が発生する。発生したアーク８は、図２の矢印９の方向に進行し、接点上部に配置された固定側アークランナー１０と可動側アークランナー１１へと転流させ、固定側アークランナー１０と可動側アークランナー１１上を走行させる。
【００１４】
アーク８は、矢印９の方向に進行し、消弧室上部のグリッド部１２にて遮断する。直流高速度遮断器は遮断回数が多くなると消弧室側板が損傷、汚損してしまう。そのため、保守時の清掃や部品の交換が必要となるので、この実施の形態１における直流高速度遮断器では、次のように構成されている。
【００１５】
図３〜図１１に示すように、実施の形態１の直流高速度遮断器は、遮断動作時に消弧室において発生するアークの両側方への吹き出しを防ぐ一対の遮蔽側板１７を備えており、この遮蔽側板１７は、外壁に設けた貫通孔１Ａから消弧室１内へ出し入れ（抜き差し）自在に装備されている。
又、この遮蔽側板１７には、遮蔽側板１７の位置決めのために、その外端部に、係合突部１７ａが、又その長手側面に、帯状突部１７ｂが設けられている。
【００１６】
そして、遮蔽側板１７の係合突部１７ａは、遮蔽側板１７を貫通孔１Ａから消弧室１内へ挿入した時（矢印Ａ方向に差し込んだ際）、貫通孔の孔縁部１ＡＡ（図３）で係止されることによって遮蔽側板１７の過挿入（入り過ぎ）を防止する機能を有し、又帯状突部１７ｂは、遮蔽側板１７の出し入れ時に、消弧室１内に設けた長溝１Ｂと嵌合することによって遮蔽側板１７の出し入れ動作が案内される共に上下方向の動きを規制する機能、すなわち遮蔽側板１７を固定する機能を有している。
なお、両遮蔽側板１７の長手下縁部間は、吹き抜けの空間構造になっており、各遮蔽側板１７は、消弧室１内への挿入後、図６に示すように、遮蔽側板用の抜け止め金具１７０によって抜け止めされ、抜け止め金具１７０は固定ボルト１７１によって消弧室１の外壁に固定されている。
【００１７】
このように、遮断動作時に発生するアーク発生箇所の側壁（消弧室構成部品）の部分（アークによって損傷、汚損される部分２０）に、遮蔽側板１７を交換自在に配置し、アーク８によって遮蔽側板１７が損傷、汚損した時は、当該遮蔽側板１７のみを交換自在としたものである。
【００１８】
実施の形態２．
次に、図１２〜１４に基づいて、この発明の実施形態２である直流高速度遮断器を説明する。
この実施の形態２においては、実施の形態１の係合突部１７ａに相当する係合突部１８ａは、帯状突部１８ｂの外延部に形成され、遮蔽側板１８を消弧室１に差し込んだ際（矢印Ｂ方向）、係合突部１８ａが貫通孔の孔縁部１ＡＡで係止（当接）され遮蔽側板１８の入り過ぎを防止している。又、帯状突部１８ｂによって、実施の形態１の帯状突部１７ｂと同様に遮蔽側板１８の上下方向のズレを防いでいる。
なお、実施の形態２の場合も、実施の形態１の抜け止め金具１７０に相当する抜け止め金具（図示せず）によって遮蔽側板１８の抜け止めがなされている。
【００１９】
なお、この発明は、その発明の範囲内において、各実施の形態を適宜、変形、省略することが可能である。
【符号の説明】
【００２０】
１：消弧室、  １Ａ：貫通孔、  １Ｂ：長溝、
２：上部導体、  ３：下部導体、  ４：接点アーム、
５：固定接点、  ６：可動接点、  ７：回転軸、
８：アーク、  １０：固定側アークランナー、
１１：可動側アークランナー、  １２：グリッド部、  １３：開放ばね、
１４：投入装置、  １５：ラッチ、  １６：開極装置、
１７：遮蔽側板、  １７ａ：係合突部、  １７ｂ：帯状突部、
１８：遮蔽側板、  １８ａ：係合突部、  １８ｂ：帯状突部、
１９：取り付けボルト、  １７０：抜け止め金具、  １７１：固定ボルト、
１７１ａ：固定ボルト貫通孔、  ２０：アークによって損傷、汚損される部分。
【図１】
2015204182.tif 000003
【図２】
2015204182.tif 000004
【図３】
2015204182.tif 000005
【図４】
2015204182.tif 000006
【図５】
2015204182.tif 000007
【図６】
2015204182.tif 000008
【図７】
2015204182.tif 000009
【図８】
2015204182.tif 000010
【図１１】
2015204182.tif 000011
【図１３】
2015204182.tif 000012
【図１４】
2015204182.tif 000013
【図９】
2015204182.tif 000014
【図１０】
2015204182.tif 000015
【図１２】
2015204182.tif 000016
【図１５】
2015204182.tif 000017
【図１６】
2015204182.tif 000018